(57)【特許請求の範囲】
【請求項１】
バックル組立体内に位置決めされた孔を形成する紐保持部、および
前記紐保持部に沿って位置決めされかつ前記孔へ延びた複数の歯を有し、
前記複数の歯の少なくとも２つは前記紐保持部の外縁部に沿って離隔し、かつ前記複数の歯の少なくとも１つは前記紐保持部の内縁部に沿って位置決めされ、
前記内縁部に沿って位置決めされた少なくとも１つの歯は前記外縁部に沿った少なくとも２つの歯の略中点に位置決めされている、バックル組立体用紐保持具。
【請求項２】
前記複数の歯は概ね弓形である、請求項１のバックル組立体用紐保持具。
【請求項３】
前記複数の歯の厚みは前記紐保持部に沿った最も広い部から前記孔の中心内の最も狭い部へ先細りになって面取り先端エッジを形成している、請求項１のバックル組立体用紐保持具。
【請求項４】
中心線が前記孔の長手を横切り、かつ前記外縁部および内縁部に沿った対向歯が前記中心線へ延びている、請求項１のバックル組立体用紐保持具。
【請求項５】
前記対向歯は前記中心線を横切っている、請求項４のバックル組立体用紐保持具。
【請求項６】
前記複数の歯は前記紐保持部の外縁部と前記紐保持部の内縁部間で交互に位置決めされている、請求項１のバックル組立体用紐保持具。
【請求項７】
前記孔内に位置決めされた紐を更に含み、前記紐は前記複数の歯の少なくとも３つの歯、前記紐の第一側の少なくとも２つの歯、および前記紐の第二側の少なくとも１つの歯と接触している、請求項１のバックル組立体用紐保持具。
【請求項８】
前記紐は第一角度で前記紐保持具へ侵入し、かつ第二角度で前記紐保持具を退出している、請求項７のバックル組立体用紐保持具。
【請求項９】
ハウジング、
孔を形成する紐保持部を有しかつ前記ハウジングと係合する係合部、および
前記紐保持部に沿って位置決めされた３つの歯を含み、
前記３つの歯のうちの２つの歯は前記紐保持部の外縁部に沿って離隔し、かつ前記３つの歯のうちの１つの歯が前記紐保持部の内縁部に沿って前記外縁部に沿った前記２つの歯の略中点に位置決めされている、バックル組立体。
【請求項１０】
前記孔は弓形孔である、請求項９のバックル組立体。
【請求項１１】
少なくとも一対の付加的歯を更に含む、請求項９バックル組立体。
【請求項１２】
前記歯は概ね弓形である、請求項９のバックル組立体。
【請求項１３】
前記歯は面取り先端エッジを形成している、請求項９のバックル組立体。
【請求項１４】
対向歯は前記孔の略中心へ延びている、請求項９のバックル組立体。
【請求項１５】
前記ハウジングと係合する第二係合部を更に含み、前記第二係合部は第二孔を形成する第二紐保持部を含む、請求項９のバックル組立体。
【請求項１６】
ハウジング、
第一孔を形成する第一紐保持部を有しかつ前記ハウジングと係合する第一係合部、
第二孔を形成する第二紐保部を有しかつ前記ハウジングと前記第一係合部に直接隣接して係合する第二係合部、および
各前記紐保持部に沿って位置決めされた複数の歯を含み、
前記複数の歯の少なくとも２つの歯は前記紐保持部の外縁部に沿って位置決めされ、かつ前記複数の歯の少なくとも１つの歯は前記紐保持部の内縁部に沿って位置決めされ、
前記内縁部に沿って位置決めされた少なくとも１つの歯は前記外縁部に沿った少なくとも２つの歯の略中点に位置決めされている、バックル。
【請求項１７】
前記第一孔および前記第二孔は前記ハウジングの１つの先端で収斂する概ね弓形通路に形成されている、請求項１６のバックル。
【請求項１８】
前記第一孔内に位置決めされた第一紐、および前記第二孔内に位置決めされた第二紐を更に含み、前記第一紐および第二紐は各々入射角度と異なる射出角度を有する、請求項１６のバックル。
【請求項１９】
前記ハウジングと係合する少なくとも１つの付加的係合部を更に含む、請求項１６のバックル。
【発明の詳細な説明】
【０００１】
【発明の属する技術分野】
本発明は固定位置に紐を保持しかつ調節を可能にするバックル組立体用紐保持具、バックル組立体、およびバックルに関する。
【０００２】
【従来の技術】
本発明により意図されようなバックル組立体は広範囲に使用され、バックパック、子供安全座席、折り畳み式ベビーカー、および紐間で弛緩自在の連結を必要とする他の用途に使用される。調節自在装置において、紐はバックル組立体の係合部かつ／またはハウジングへ供給されかつ調節自在紐として設計された長手に依存して締めつけまたは緩められる。
【０００３】
更に、バックル組立体は複数の紐の調節かつ／または中央ハウジングへの複数の紐の締結を可能にする三方（three-way)または五方(five-way)調節装置を必要とする。かかる装置は、更に、バックル組立体の１またはそれ以上の構成要素に対して固定された紐および連結された調節自在紐の両方を必要とする。
【０００４】
【発明が解決しようとする課題】
本発明の１つの課題は調節が望まれるまで固定位置に調節自在紐を保持するバックル組立体を提供することにある。
【０００５】
本発明の他の課題は所望位置に紐を固定保持するバックル組立体における紐保持具を提供することにある。
【０００６】
更に、本発明の他の課題は中央ハウジングと係合自在の複数の係合部を有するバックル組立体を提供することにある。
【０００７】
本発明の更に他の課題は異なる角度でバックル組立体に対して侵入、退出する複数の紐間の連結を可能にするバックル組立体を提供することにある。
【０００８】
更に本発明の他の課題は紐保持具を提供し、結果として所望調節に続いて紐と紐保持具間の関係を記憶しかつ位置決めする紐保持具を提供することにある。
【０００９】
【課題を解決するための手段】
上記課題を達成するための本発明によるバックル組立体用紐保持具は、バックル組立体内に位置決めされた孔を形成する紐保持部、および前記紐保持部に沿って位置決めされかつ前記孔へ延びた複数の歯を有し、前記複数の歯の少なくとも２つは前記紐保持部の外縁部に沿って離隔し、かつ前記複数の歯の少なくとも１つは前記紐保持部の内縁部に沿って位置決めされ、前記内縁部に沿って位置決めされた少なくとも１つの歯は前記外縁部に沿った少なくとも２つの歯の略中点に位置決めされていることを特徴とする。
【００１１】
好適形態において、前記複数の歯は概ね弓形である。
【００１２】
好適形態において、前記複数の歯の厚みは前記紐保持部に沿った最も広い部から前記孔の中心内の最も狭い部へ先細りになって面取り先端エッジを形成している。
【００１３】
好適形態において、前記孔の長手を中心線が横切り、かつ前記外縁部および内縁部に沿った対向歯は前記中心線へ延びている。他の形態において、前記対向歯は前記中心線を横切っている。
【００１４】
好適形態において、前記複数の歯は前記紐保持部の外縁部と前記紐保持部の内縁部間で交互に位置決めされている。
【００１５】
好適形態において、前記孔内に位置決めされた紐を更に含み、前記紐は前記複数の歯の少なくとも３つの歯、前記紐の第一側の少なくとも２つの歯、および前記紐の第二側の少なくとも１つの歯と接触している。
【００１６】
好適形態において、前記紐は第一角度で前記紐保持具へ侵入し、かつ第二角度で前記紐保持具を退出する。
【００１７】
更に、本発明によるバックル組立体は、ハウジング、孔を形成する紐保持部を有しかつ前記ハウジングと係合する係合部、および前記紐保持部に沿って位置決めされた３つの歯を含み、前記３つの歯のうちの２つの歯は前記紐保持部の外縁部に沿って離隔し、かつ前記３つの歯のうちの１つの歯が前記紐保持部の内縁部に沿って前記外縁部に沿った前記２つの歯の略中点に位置決めされていることを特徴とする。
【００１８】
前記バックル組立体の好適形態において、前記孔は弓形孔である。
【００１９】
前記バックル組立体の他の好適形態において、少なくとも一対の付加的歯を更に含む。
【００２０】
前記バックル組立体の好適形態において、前記歯は概ね弓形である。
【００２１】
前記バックル組立体の好適形態において、前記歯は面取り先端エッジを形成している。
【００２２】
前記バックル組立体の好適形態において、前記外縁部および前記内縁部に沿った対向歯は前記孔の略中心へ延びている。
【００２３】
前記バックル組立体の好適形態において、前記ハウジングと係合する第二係合部を更に含み、前記第二係合部は第二孔を形成する第二紐保持部を含む。
【００２４】
更に、本発明によるバックルは、ハウジング、第一孔を形成する第一紐保持部を有しかつ前記ハウジングと係合する第一係合部、第二孔を形成する第二紐保部を有しかつ前記ハウジングと前記第一係合部に直接隣接して係合する第二係合部、および各前記紐保持部に沿って位置決めされた複数の歯を含み、前記複数の歯の少なくとも２つの歯は前記紐保持部の外縁部に沿って位置決めされ、かつ前記複数の歯の少なくとも１つの歯は前記紐保持部の内縁部に沿って位置決めされていることを特徴とする。
【００２５】
前記バックルの好適形態において、前記第一孔および前記第二孔は前記ハウジングの１つの先端で収斂する概ね弓形通路に形成されている。
【００２６】
前記バックルの好適形態において、前記第一孔内に位置決めされた第一紐、および前記第二孔内に位置決めされた第二紐を更に含み、前記第一紐および第二紐は各々入射角度と異なる射出角度を有する。
【００２７】
前記バックルの好適形態において、前記ハウジングと係合する少なくとも１つの付加的係合部を更に含む。
【００２８】
本発明は更に他の形態のバックル組立体用紐保持具を提供する。このバックル組立体用紐保持具は、バックル組立体内に位置決めされた孔を形成する紐保持部、および前記紐保持部に沿って位置決めされかつ前記孔へ延びた少なくとも１つの歯を有し、前記少なくとも１つの歯が前記紐保持部の内縁部に沿って位置決めされていることを特徴とする。前記少なくとも１つの歯は概ね弓形でありかつ面取り先端エッジを形成していることが好ましい。前記孔の長手を中心線が横切りかつ前記少なくとも１つの歯が前記中心線へ延びていてよい。前記複数の歯は前記紐保持部の外縁部と前記紐保持部の内縁部間に交互に位置決めされていることが好ましい。
【００２９】
上記構成を要約すると、バックル組立体は紐をバックル組立体に対して固定させ、かつバックル組立体に対して調節自在であることが望ましい。
【００３０】
１またはそれ以上の紐が１またはそれ以上の係合自在係合部を含むハウジングに対して連結される。各係合部は好適には弛緩されるまで固定された状態でハウジングと係合する。
【００３１】
１またはそれ以上の紐は好適には紐保持具を介して係合部と係合する。紐保持具は紐を供給する孔を形成する紐保持部を含む。紐保持部は好適には使用者が望むときに調節を可能にする固定位置において紐を保持するものである。
【００３２】
複数の歯が紐保持部に沿って位置決めされて孔へ延びていることが好ましい。歯は概ね弓形もしくは弧状に形成されるか、または実行可能な他のいずれの断面形状を有するものであってもよい。歯は好適には面取り先端エッジを形成しかつ紐保持部に沿って長手方向に位置決めされる。本発明の一実施形態において、少なくとも２つの歯が紐保持部の外縁部に沿って間隔をおいて形成され、かつ少なくとも１つの歯が紐保持部の内縁部に沿って位置決めされる。紐は孔内へ孔を通って位置決めされ、かつ少なくとも３つの歯、即ち、紐の第一側で少なくとも２つの歯そして紐の第二側で少なくとも１つの歯と接触する。
【００３３】
本発明により意図された特定バックル組立体は、５方向（five-way）バックルであり、ハウジングおよびそのハウジングと係合自在の２またはそれ以上の係合部を含む。各係合部は孔を画定する紐保持部を含む。特に記載していないが、本発明は１方向（one-way）、２方向（two-way）、３方向（three-way）４方向（four-way）かつ／または６方向(six-way)、更にはそれ以上の方向をもつバックルに関して使用できる。
【００３４】
かかるバックル組立体において、１つの紐が第一係合部内に位置決めされ、かつ第二紐が第二係合部内に位置決めされる。第一係合部および第二係合部の各々は好適には相互に対して直接隣接してハウジングと係合し、かつ好適には相互に対してかつハウジングに対して除去自在かつ係合自在である。
【００３５】
本発明の上記および他の特徴および課題は図面を参照した次の詳細な説明からより良く理解されるであろう。
【００３６】
【発明の実施の形態】
図１に示された従来バックル組立体のごときバックル組立体１０は、伝統的にハウジング１５、および１またはそれ以上の係合部８０を含む。本発明の１つの好適形態によるバックル組立体１０は図２に示されている。係合部８０は好適には、ハウジング内の開口部１７に対して係止する可撓性フランジ８２により弛緩されるまで固定状態でハウジング１５と係合する。
【００３７】
１またはそれ以上の紐７０が、好適にはバックル組立体１０と係合して本発明により意図された使用を完全にする。１またはそれ以上の紐７０はバックル組立体１０に対して、かつ反対端部上でバックル組立体１０を固定できる設計の子供座席またはバックパック等の１またはそれ以上の装置に対して、調節自在または固定自在に連結される。
【００３８】
図１に示されたように、係合部８０はハウジングと係合自在の単一連動構成要素、またはハウジング１５と同時または継続的に係合する２またはそれ以上の係合部８０，９０を含むものであってよい。かかる装置は図２−４に示されており、かつバックル組立体１０から延びる紐の数量によって、３方（three-way）または５方(five-way)バックルと、通常、呼ばれている。当分野の通常の熟練者に知られている他の装置は本発明に関連して使用できる。
【００３９】
本発明の一好適形態によれば、紐保持具２０は、使用者の望むときに調節を可能にする固定位置に紐７０を保持するために、バックル組立体１０内に位置決めされる。本発明の重要かつ望ましい特徴は、バックル組立体１０のいずれかの再調節の後に一定の望ましい調節が再現可能または反復可能であるように、バックル組立体および１またはそれ以上の取り付けた紐７０の能力が相互に対して「記憶」をもつことである。
【００４０】
紐保持部２５は、バックル組立体１０内、更に詳細には係合部８０内に形成されて孔３０を形成する。本発明の一好適形態によれば、孔３０は弓形に形成される。
【００４１】
図５に示されたように、１またはそれ以上の歯４０が紐保持部２５に沿って位置決めされかつ孔３０内へ延びている。歯４０は、図５および７に示されたように、概ね弓形であるか、または選択的に矩形断面であってよい。製造目的から、歯４０は好適には紐保持部２５に沿って最も幅広い部から孔３０の中心内で最も狭い部へ先細りになって、図６に示されたように、面取り先端エッジ４５を形成している。歯４０は図示されたように、紐保持部２５に沿って長手方向に位置決めされるか、または選択的に紐保持部２５に対して横切る方向に位置決めされる。本明細書で使用される複数の歯４０または１つの歯は紐保持部２５に対してかつ孔３０へ延びるいずれの突起であってもよい。
【００４２】
本発明の一好適形態によれば、複数の歯４０の少なくとも２つは紐保持部２５の外縁部３５に沿って離隔し、かつ複数の歯４０の少なくとも１つの歯は紐保持部２５の内縁部３３に沿って位置決めされる。
【００４３】
好適形態によれば、内縁部３３に沿って位置決めされた少なくとも１つの歯４０は外縁部３５に沿った少なくとも２つの歯間の略中点に位置決めされる。結果として、紐保持部２５の外縁部３５と内縁部３３間で交互に歯４０が食い違う配置が形成される。複数の歯４０は紐保持部２５の外縁部３５と紐保持部２５の内縁部３３間に交互に位置決めされる。
【００４４】
図５に示された仮想中心線50は孔３０の長手を横切りかつ歯４０が延びてよいスレッショルドを形成する。本発明の一好適形態によれば、対向歯４０は中心線５０まで延びるがそれを越えない。選択的に、対向歯40は中心線５０を横切って孔３０内に付加的障害物を形成する。
【００４５】
図７に示された本発明の他の形態によれば、単一歯４０は紐保持部２５の内縁部３３に沿って位置決めされかつ孔３０へ延びる。歯４０は上述の歯と同様形態に形成されてよく、かつ好適には歯４０が孔３０内に重大な障害物を有するような寸法を有しかつそのように置決めされてよい。この好適形態による歯４０は孔３０の中心線５０まで延びているかまたはそれを越えてよい。
【００４６】
紐７０は孔３０内で孔を介して位置決めされる。孔３０と紐７０との間に要求される引張度によって、紐７０の厚みかつ／または幅は調節でき、事実上引張を与える。図４に示された本発明の好適形態によれば、紐７０は少なくとも３つの歯４０、紐の第一側で少なくとも２つの歯、および紐の第二側で少なくとも１つの歯４０と接触する。
【００４７】
本発明の好適形態によれば、１またはそれ以上の紐７０は異なる角度でバックル組立体１０へ侵入しかつそこから退出させる。従って、紐保持具２０は紐７０を第一角度で紐保持具２０へ侵入させかつ第二角度で紐保持具２０から退出する。
【００４８】
図３および４に示されたように、本発明により意図された特定バックル組立体１０は、ハウジング１５、およびハウジング１５と係合自在の２またはそれ以上の係合部８０，９０を有する５方バックルである。各係合部８０，９０は、好適には、第一係合部８０で第一孔３０および第二係合部９０で第二孔３０’等の孔３０を形成する紐保持部２５を含む。
【００４９】
本発明の一好適形態によれば、第一孔３０および第二孔３０’はハウジング１５の１つの先端部で収斂する概ね弓形の通路で形成される。かかる弓形通路はバックル組立体１０の外形に追従するが、紐７０の異なる角度でのバックル組立体１０の侵入、退出を可能にする。
【００５０】
詳細に上述したように、紐保持部２５は、更に、紐保持部２５に沿って位置決めされた３つの歯４０形態を含んでよい。好適には、２つの歯４０は紐保持部２５の外縁部３５に沿って離隔し、かつ第三歯４０は紐保持部２５の内縁部３３に沿って外縁部３５に沿った２つの歯４０間の略中点に位置決めされる。
【００５１】
図４に示されたバックル組立体において、紐７０は第一係合部８０内に位置決めされ、かつ紐７０’は第二係合部９０内に位置決めされる。第一係合部８０および第二係合部９０は好適には相互に直接隣接してハウジング１５と係合する。更に、第一係合部８０および第二係合部９０は相互に対しておよびハウジング１５に対して独立に除去自在かつ係合自在である。
【００５２】
本明細書において、本発明は特定好適形態に関して説明したが、多くの細部は図解目的から説明されているので、当分野の熟練者には本発明による上記紐保持部かつ／またはバックル組立体が他の形態を受けいれかつここに記載の細部が本発明の基本原理から逸脱することなく相当に変更できることが理解されるであろう。
【図面の簡単な説明】
【図１】従来技術による伝統的バックル組立体の上面図である。
【図２】本発明の好適形態によるバックル組立体の斜視図である。
【図３】本発明の好適形態によるバックル組立体の分解上面図および斜視図である。
【図４】図３に示されたバックル組立体に位置決めされた紐の斜視図である。
【図５】本発明の好適形態による紐保持具の詳細上面図である。
【図６】図５に示された紐保持具の断面図である。
【図７】本発明の好適形態による紐保持具の詳細上面図である。
【符号の説明】
１０…バックル組立体
１５…ハウジング
２０…紐保持具
２５…紐保持部
３０…孔
３３…内縁部
３５…外縁部
４０…歯
８０，９０…係合部
【図１】
0004087592.tif 000002
【図２】
0004087592.tif 000003
【図３】
0004087592.tif 000004
【図４】
0004087592.tif 000005
【図５】
0004087592.tif 000006
【図６】
0004087592.tif 000007
【図７】
0004087592.tif 000008